(57)【特許請求の範囲】
【請求項１】
一列に多数連結された養殖籠（Ａ）から振い落される貝（Ｊ）を受ける貝受け具（１）と、貝受け具（１）から落下する貝（Ｊ）を受けて搬送するコンベア（２）を備えた貝受け搬送装置において、
貝受け具（１）はホッパー（３）と、ホッパー（３）をコンベア（２）に取り付ける取付け具（８）を備え、
コンベア（２）は連結受け具（２２）を備え、
ホッパー（３）は周壁面（７）の下方が閉塞し、周壁面（７）の上方が開口されており、周壁面（７）は上方開口部（４）から下方閉塞部に向けて下り傾斜であり、下り傾斜の周壁面（７）の一部に出口（６）が開口されており、上方開口部（４）は一列に多数連結された養殖籠（Ａ）を横向きにして載せることができる広さと長さであり、周壁面（７）の底面はコンベア（２）の横幅を横断して当該コンベア（２）の上に載せることができる横長であり、
取付け具（８）はホッパー（３）の周壁面（７）の裏面にあり、ホッパー（３）の出口（６）の両外側に連結具（１１）を備え、その連結具（１１）はコンベア（２）の連結受け具（２２）に脱着可能であり、
ホッパー（３）はコンベア（２）を横断してコンベア（２）の上に載せられて、前記出口（６）がコンベア（２）の上にセットされ、前記取付け具（８）の連結具（１１）をコンベア（２）の連結受け具（２２）に取り付けることによりコンベア（２）に取り付けられ、
前記ホッパー（３）の上方開口部（４）に横向きに載せた一連の養殖籠（Ａ）内から振い落された貝（Ｊ）が、周壁面（７）を滑落してホッパー（３）の出口（６）からコンベア（２）の上に自動的に落下し、コンベア（２）により搬送されるようにした、
ことを特徴とする貝受け搬送装置。
【請求項２】
請求項１記載の貝受け搬送装置において、
ホッパー（３）の周壁面（７）が長辺側斜面（７ａ）と、その斜面と対向する長辺対向斜面（７ｂ）と、短辺側斜面（７ｃ）と、その斜面と対向する短辺対向斜面（７ｄ）を備え、それら斜面はホッパー（３）の上方開口部（４）から下方に向けて下り傾斜であり、
ホッパー（３）の出口（６）が長辺側斜面（７ａ）の上縁側から長辺対向斜面（７ｂ）の下端側（７ｆ）まで、又は前記長辺側斜面（７ａ）の下部（７ｇ）まで開口している、
ことを特徴とする貝受け搬送装置。
【発明の詳細な説明】
【技術分野】
【０００１】
本発明は、養殖籠の中から落下させた貝を受ける貝受け具と、その貝受け具とコンベアを備えた貝受け搬送装置と、貝受け具と洗浄機を備えた貝受け洗浄装置と、貝受け具と選別機を備えた貝受け選別装置に関するものである。
【背景技術】
【０００２】
帆立貝の養殖には耳釣り養殖、籠養殖等がある。籠養殖は帆立貝を網製の籠の中に入れて海中に吊るして養殖する方法である。籠養殖には角形のもの、円筒型のもの（図７、図８）がある。円筒型の養殖籠Ａ（図８）は、図７に示すように円形リングＢに補強バーＣが十字状に取り付けられ、それら円形リングＢ及び補強バーＣに網Ｄが張られた仕切りＥを一定間隔で多数枚並べ、それら仕切りＥの外周に図８に示すように外網Ｆを巻いて円筒状にし、外網Ｆの巻き方向両端部（合わせ箇所）の縦方向数箇所を紐Ｇで閉じて、閉じた箇所の間に出入口Ｈを開口し、外網Ｆの外側から前記仕切りＥの周方向四箇所を吊りロープＩで連結して連続させてある。養殖籠Ａの長さは数１０ｃｍ〜数ｍのものまで各種ある。
【０００３】
図８の養殖籠Ａは出入口Ｈから各段の仕切りＥに貝Ｊを入れてから、縦向きにして海中に吊るして養殖し、適時、海中から引き揚げて、養殖籠Ａの中から貝Ｊを取り出して洗浄したり、選別したり、出荷したりしている。
【０００４】
養殖籠Ａの中から貝Ｊを取り出す場合、従来は、横向きにして出入口Ｈを下向きにした養殖籠Ａの両端を、作業員が手で持って振動させて、出入口Ｈから落下させる方法がある。この場合、養殖籠Ａの下に籠をおいて貝を受けたり地面に落下させたりしている。また、出入口Ｈを下向きにした養殖籠Ａを振動機（業界の通称「ほろい機」：図示しない）の上に載せ、その振動機を動力で振動させて養殖籠Ａを振動させて、養殖籠Ａ内の貝Ｊを出入口Ｈから落下させる方法がある（非特許文献１）。
【先行技術文献】
【非特許文献】
【０００５】
【非特許文献１】https://www.youtube.com/watch?v=I7iHxFA1so
【発明の概要】
【発明が解決しようとする課題】
【０００６】
前記貝取り出し方法のうち、前者の貝取り出しは、養殖籠Ａを載せるものがないため、重い養殖籠を作業員が持ち続けなければならず、作業が大変であった。後者の貝取り出しは、養殖籠Ａを振動機の上に載せることができるため、作業は容易であるが、振動機が動力式であるため、大型で、重く、高価であるといった難点がある。
【課題を解決するための手段】
【０００７】
本発明の課題は、人力作業で養殖籠から落下させた貝を受けて外部に排出できる貝受け具と、貝受け具で受けた貝をコンベアで搬送できる貝受け搬送装置、貝受け具で受けた貝を洗浄機で洗浄できる貝受け洗浄装置、貝受け具で受けた貝をサイズ別に選別できる貝受け選別装置を提供することにある。
【０００８】
本発明の貝受け具は、養殖籠を横向きにして載せることのできるホッパーを備え、ホッパーは上方開口部があり、周壁面が斜面であり、斜面に出口が開口されており、上方開口部は養殖籠を横にして載せることのできる広さであり、斜面は上方開口部から下方に向けて次第に下り傾斜になっているものである。
【０００９】
本発明の貝受け搬送装置は、貝受け具とコンベアを備え、貝受け具がコンベアの上に設置されて、貝受け具の出口から排出される貝がコンベアの上に自動的に落下するようにしたものである。
【００１０】
本発明の貝受け洗浄装置は、貝受け具が貝洗浄機の上に設置されて、貝受け具の出口から排出される貝が、貝洗浄機に自動的に落下するようにしたものである。
【００１１】
本発明の貝受け選別装置は、貝受け具が貝選別機の上に設置されて、貝受け具の出口から排出される貝が、貝選別機に自動的に落下するようにしたものである。
【発明の効果】
【００１２】
本発明の貝受け具は、ホッパーの上で、養殖籠の出入口を下にして、作業者が養殖籠を手で持って振動させて、養殖籠内の貝をホッパーの上方開口部の上に振い落とすと、貝が貝受け具の斜面を滑落して出口に排出されるので、振い落とした貝の回収が容易になる。養殖籠を貝受け具の上に載せることができるので、養殖籠の取り扱いが容易になる。
【００１３】
本発明の貝受け搬送装置は、養殖籠から振い落とした貝が貝受け具の出口からコンベアの上に落下して、コンベアにより自動的に搬送されるので貝の搬送も容易になる。
【００１４】
本発明の貝受け洗浄装置は、養殖籠から振い落とした貝が貝受け具の出口から貝洗浄機に落下して貝洗浄機で自動的に洗浄されるので貝の洗浄も容易になる。
【００１５】
本発明の貝受け選別装置は、養殖籠から振い落とした貝が貝受け具の出口から貝選別機に落下して貝選別機で自動的に選別されるので貝の選別も容易になる。
【図面の簡単な説明】
【００１６】
【図１】本発明の貝受け搬送装置の使用説明図。
【図２】本発明の貝受け搬送装置であって、コンベアに貝受け具を装備する前の説明図。
【図３】本発明の貝受け搬送装置であって、コンベアへ貝受け具を装備した状態の部分詳細説明図。
【図４】本発明の貝受け搬送装置であって、コンベアへ貝受け具を装備する前の部分詳細説明図。
【図５】本発明の貝受け搬送装置の側面図。
【図６】本発明の貝受け搬送装置の底面側斜視図。
【図７】既存の養殖籠の内部説明図。
【図８】既存の養殖籠の外側説明図。
【発明を実施するための形態】
【００１７】
（貝受け具の実施形態）
本発明の貝受け具の一例を図１〜図５に基づいて説明する。図１に示すように、本発明の貝受け具１はコンベア２の上に設置して使用することができるものであり、貝受け具１の上に養殖籠Ａの出入口Ｈを下向きにして載せ、その養殖籠Ａの両端部を作業者Ｍが手で持って当該養殖籠Ａを振って、出入口Ｈから養殖籠Ａ内の貝Ｊを振い落とすことができるようにしたものである。
【００１８】
図１の貝受け具１は、図２〜図４に示す形状及び構造である。この貝受け具１はホッパー３を備えている。ホッパー３は上方開口部４と、周壁面７と、出口６を備えている。ホッパー３は図１のように養殖籠Ａを載せても変形しない剛性の材質製である。
【００１９】
上方開口部４は横長四角形であり、図１のように養殖籠Ａを横にして載せることができる長さと幅である。周壁面７は上方開口部４の周縁部４ａから出口６に向けて下り傾斜になっており、長辺側斜面７ａと長辺対向斜面７ｂと短辺側斜面７ｃと短辺対向斜面７ｄの計四面の斜面で形成されている。これら四面の斜面のうち一つの長辺側斜面７ａに出口６が開口されている。出口６は図４に示すように長辺側斜面７ａの上縁部７ｅから、対向する長辺対向斜面７ｂの下端側７ｆまで開口して、養殖籠Ａから周壁面７に落下した貝Ｊが周壁面７を滑落して、出口６から落下し易くなるようにしてある。また、横幅Ｗ（図４）をコンベア２の横幅と同じかそれよりも多少狭くして、出口６から落下する貝Ｊがコンベア２の上に確実に落下するようにしてある。出口６は長辺側斜面７ａの上縁部７ｅ(図４)から当該長辺側斜面７ａの下部７ｇ（図４の仮想線の位置）までとすることもできる。
【００２０】
ホッパー３は取付け具８を備えている。取付け具８は図２のように、ホッパー３をコンベア２に取り付けるものであり、図６に示すように、長辺側斜面７ａの裏面であって、出口６の幅方向両側に二枚のブラケット９を平行に取り付け、それら二枚のブラケット９を長辺側斜面７ａの外側まで突出させ、突出部１０の外面に筒状の連結具１１が縦向きに取り付けられ、二枚のブラケット９の夫々の外側に支持具１２を設けてある。二枚のブラケット９も、連結具１１も、支持具１２も溶接で固定してある。
【００２１】
（貝受け搬送装置の実施形態）
本発明の貝受け搬送装置の一例として図示したものは、コンベア２のフレーム２１の上に前記貝受け具１を設置し、貝受け具１の取付け具８をコンベア２に固定してある。コンベア２には汎用のベルトコンベアを使用することができる。図５に示したコンベア２はベルトコンベアであり、そのフレーム２１に筒状の連結受け具２２を備えている。
【００２２】
コンベア２に貝受け具１を取り付けるには、図３に示すように、コンベア２の外向きコ字状のフレーム２１に貝受け具１の二本のブラケット９を差込み、そのフレーム２１の上に貝受け具１を載せ、貝受け具１の筒状の連結具１１をコンベア２の筒状の連結受け具２２の上に重ねる。この状態で図３のように、連結具１１の上方から連結受け具２２まで下向きコ字状の連結治具２３を差込んで連結具１１と連結受け具２２を連結する。この場合、貝受け具１の出口６がコンベア２のベルト２ａの上に位置するように設置する。コンベア２は図５のようにその下端部２ｂが下、搬送方向先方（上端部）２ｃが上になるように斜めに設置してある。この場合、支持アーム２４をスライド可能にして高さ調節可能とすることができる。コンベア２には車輪２５を取り付けて移動し易くすることができる。
【００２３】
図示した貝受け具１は取付け具８を備えているが、本発明では取付け具８をコンベア２に取り付けることもできる。この場合の取付け具８は、貝受け具１に取り付け可能な構造とする。
【００２４】
本発明では、貝受け具１もコンベア２も取付け具８を設けずに、貝受け具１ともコンベア２とも別に用意した他の取付け具を使用して、貝受け具１をコンベア２に取り付けることもできる。
【００２５】
前記貝受け具１のホッパー３、取付け具８、コンベア２のフレーム２１、連結受け具２２等はステンレス製、ＦＲＰ製といった錆にくい材質製とするのが望ましい。
【００２６】
（貝受け洗浄装置の実施形態）
本発明では、コンベア２に代えて貝洗浄機とすることもできる、この場合は、本発明の貝受け具１を貝洗浄機（図示しない）の上に取り付けて固定する。この場合、貝受け具１の出口６が貝洗浄機の貝投入口と連通するように取り付けて、出口６から排出される貝が貝洗浄機の貝投入口から貝洗浄機内に自動的に落下して、貝洗浄機内で自動的に洗浄されるようにすることもできる。貝洗浄機には汎用の貝洗浄機又は他の新規な貝洗浄機を使用することができる。この場合、貝受け具１又は貝洗浄機に、貝受け具１を貝洗浄機へ連結するための取付け具を設けることもできるが、場合によっては、貝受け具１又は貝洗浄機のいずれにも取付け具を設けずに、別途用意した任意の取付け具で、貝受け具１を貝洗浄機に取り付けることもできる。
【００２７】
（貝受け選別装置の実施形態）
本発明では、コンベア２に代えて貝選別機とすることもできる、この場合は、本発明の貝受け具１を貝選別機（図示しない）の上に取り付けて固定する。この場合、貝受け具１の出口６が貝選別機の貝投入口と連通するように取り付けて、出口６から排出される貝が貝選別機の貝投入口から貝選別機内に自動的に落下して、貝選別機内で自動的にサイズ別に選別されるようにすることもできる。貝選別機には汎用の貝選別機又は他の新規な貝選別機することができる。この場合、貝受け具１又は貝選別機に、貝受け具１を貝選別機へ連結するための取付け具を設けることもできるが、場合によっては、貝受け具１又は貝選別機のいずれにも取付け具を設けずに、別途用意した任意の取付け具で、貝受け具１を貝選別機に取り付けることもできる。
【００２８】
（貝受け具の他の使用例）
前記実施形態では、貝受け具をコンベア２の上に、又は貝洗浄機の上に、又は貝選別機の上に設置固定して使用する場合であるが、本発明の貝受け具１は受け籠とか他の容器（いずれも図示しない）の上に配置して使用することもできる。この場合は、貝受け具１の出口６から排出される貝Ｊが、受け籠とか容器内に自動的に落下して回収される。満杯になった受け籠とか容器は、新しい受け籠とか容器と交換し、新たな受け籠とか容器の上に貝受け具１を設置して使用することもできる。
【産業上の利用可能性】
【００２９】
一例として図示したコンベア２はベルトコンベアであるが、本発明では使用可能であればベルトコンベア以外のコンベアを使用することもできる。また、コンベア２、貝洗浄機、貝選別機以外の機器の上に設置固定して使用することもできる。図示した貝受け具、貝受け搬送装置はあくまでも一例である。本発明の貝受け具、貝受け搬送装置、貝受け洗浄装置、貝受け選別装置は、本発明の目的を達成可能な範囲で任意の構造、形状とすることができる。例えば、貝受け具１の上方開口部の形状を横長楕円形としたり、周壁面７を下方に向けて次第に細くなる筒状にしたり、出口６の形状を円形にしたりすることもできる。
【符号の説明】
【００３０】
１    貝受け具
２    コンベア
２ａ  （コンベアの）ベルト
２ｂ  （コンベアの）下端部
２ｃ  （コンベアの）搬送方向先方（上端部）
３    ホッパー
４    上方開口部
４ａ  周縁
６    出口
７    周壁面
７ａ  長辺側斜面
７ｂ  長辺対向斜面
７ｃ  短辺側斜面
７ｃ  短辺対向斜面
７ｅ  （長辺側斜面７ａの）上縁部
７ｆ  （長辺対向斜面７ｂ）の下端側
７ｇ  （長辺側斜面７ａ）の下部
８    取付け具
９    ブラケット
１０  突出部
１１  連結具
１２  支持具
２１  （コンベアの）フレーム
２２  連結受け具
２３  連結治具
２４  （コンベアの）支持アーム
２５  （コンベアの）車輪
Ａ  養殖籠
Ｂ  円形リング
Ｃ  補強バー
Ｄ  網
Ｅ  仕切り
Ｆ  外網
Ｇ  紐
Ｈ  出入口
Ｉ  吊りロープ
Ｊ  貝
М  作業者
【図１】
0006598375.tif 000002
【図２】
0006598375.tif 000003
【図３】
0006598375.tif 000004
【図４】
0006598375.tif 000005
【図５】
0006598375.tif 000006
【図６】
0006598375.tif 000007
【図７】
0006598375.tif 000008
【図８】
0006598375.tif 000009